(57)【要約】  少なくとも一つのエンジン（１１）及び排気ガス後処理システム（１３）を備える内燃機関（１０）の運転方法であって、燃料燃焼の際にエンジン（１１）内で発生する排気ガスが、浄化のために排気ガス後処理システム（１３）を介して導かれ、排気ガス実測値が決定され、該排気ガス実測値は、排気ガス後処理システム（１３）の排気ガス後処理構成要素（１４）の上流における排気ガス内の二酸化窒素割合の実測値に依存しており、二酸化窒素割合の実測値が、対応する二酸化窒素割合の基準値に近似するようにエンジン（１１）の少なくとも一つの運転パラメータが変更され、それによりそれぞれの排気ガス後処理構成要素（１４）が最適化されて運転される。
2016532810.tif 000002
【特許請求の範囲】
【請求項１】
内燃機関（１０）の運転方法であって、該内燃機関は少なくとも一つのエンジン（１１）及び排気ガス後処理システム（１３）を有しており、燃料燃焼の際に前記エンジン（１１）内で発生する排気ガスは浄化のために前記排気ガス後処理システム（１３）を介して導かれる運転方法において、排気ガス実測値が決定され、該排気ガス実測値は前記排気ガス後処理システム（１３）の排気ガス後処理構成要素（１４）の上流における排気ガス内の二酸化窒素割合の実測値に依存しており、また、前記排気ガス後処理構成要素（１４）をそれぞれ最適化して運転するために前記二酸化窒素割合の実測値が、対応する二酸化窒素割合の基準値に近似するよう、前記エンジン（１１）の少なくとも一つの運転パラメータが変更されることを特徴とする、方法。
【請求項２】
前記二酸化窒素割合の基準値が負荷点に依存して選ばれることを特徴とする、請求項１に記載の方法。
【請求項３】
前記二酸化窒素割合の基準値が、少なくとも一つのエンジン運転パラメータ（１０）、及び／又は、前記排気ガス後処理システム（１３）の少なくとも一つの運転パラメータに依存して決定されることを特徴とする、請求項１又は２に記載の方法。
【請求項４】
前記エンジン（１０）の運転パラメータとして、ラムダ値、及び／又は、点火時期、及び／又は、バルブタイミング、及び／又は、エンジン圧縮、及び／又は、エンジン燃焼室内の排気ガス割合が変更されることを特徴とする、請求項１から３のいずれか一項に記載の方法。
【請求項５】
排気ガス実測値が決定され、該排気ガス実測値は、前記排気ガス後処理システム（１３）のＳＣＲ触媒の上流における排気ガス内の二酸化窒素割合の実測値に依存していることを特徴とする、請求項１から４のいずれか一項に記載の方法。
【請求項６】
排気ガス実測値が決定され、該排気ガス実測値は、前記排気ガス後処理システム（１３）の粒子フィルターの上流における排気ガス内の二酸化窒素割合の実測値に依存していることを特徴とする、請求項１から４のいずれか一項に記載の方法。
【請求項７】
排気ガス実測値が決定され、該排気ガス実測値は、前記排気ガス後処理システム（１３）のＮＯｘ吸蔵触媒の上流における排気ガス内の二酸化窒素割合の実測値に依存していることを特徴とする、請求項１から４のいずれか一項に記載の方法。
【請求項８】
排気ガス実測値として、前記排気ガス後処理システム（１３）の排気ガス後処理構成要素（１４）の下流においてＮＯｘセンサーを用いてＮＯｘ実測値が測定技術的に測定され、この排気ガス実測値に依存して、前記排気ガス後処理構成要素（１４）の上流における排気ガス内の二酸化窒素割合の実測値が決定され、この二酸化窒素割合の実測値が前記二酸化窒素割合の基準値と比較され、この比較に依存して、前記二酸化窒素割合の実測値が前記二酸化窒素割合の基準値に近似するように、前記エンジン（１１）の少なくとも一つの運転パラメータが変更されることを特徴とする、請求項１から７のいずれか一項に記載の方法。
【請求項９】
前記エンジン（１１）の運転パラメータが、前記エンジンのエンジン出口ＮＯｘエミッションを最大１５%低下させるように変更されることを特徴とする、請求項１から８のいずれか一項に記載の方法。
【請求項１０】
ガス状でメタンを含む燃料を燃焼させるガスエンジンを持つ内燃機関が運転されることを特徴とする、請求項１から９のいずれか一項に記載の方法。
【発明の詳細な説明】
【技術分野】
【０００１】
本発明は、請求項１のおいて書きに記載の、内燃機関の運転方法に関する。
【背景技術】
【０００２】
実地より知られている内燃機関はエンジンのほかに排気ガス後処理システムを備えており、それにより、内燃機関のエンジン内において燃料燃焼の際に発生する排気ガスは排気ガス後処理システム内で浄化される。ますます厳しくなる排気ガス規制値を達成するために効率的な排気ガス後処理が必要とされている。
【０００３】
固体粒子に加えて排気ガス内の窒素酸化物（ＮＯｘ）も、ますます厳しくなる規制値を達成する必要がある。排気ガス内の窒素酸化物の低減は触媒を用いて行われ、例えばＳＣＲ触媒が用いられ、ＳＣＲ触媒では、窒素酸化物を変換するために還元剤としてアンモニアが用いられる。アンモニアはアンモニア生成装置内で生成され、排気ガス流内に送り込むことができる。それとは異なり、アンモニア前駆物質、例えば尿素水溶液を排気ガス流内に送り込むこともでき、これは、排気ガス流内でアンモニア、二酸化炭素、及び水蒸気に変換される。排気ガス内でのアンモニア前駆物質からアンモニアへの変換は、代表的にはいわゆる加水分解触媒を用いて行われる。
【０００４】
排気ガス内に一酸化窒素のみが存在する場合、ＳＣＲ触媒内での窒素酸化物は以下の化学式により変換される。
４ＮＯ＋４ＮＨ３＋Ｏ２→４Ｎ２＋６Ｈ２Ｏ
【０００５】
ＳＣＲ触媒内で上記の化学式による一酸化窒素の変換は比較的ゆっくり進行する。そのため、排気ガス内の窒素酸化物の変換を早めるために、ＳＣＲ触媒の上流においてとりわけ白金含有のＮＯ酸化触媒を配置して、ＳＣＲ触媒の上流において一酸化窒素を二酸化窒素に変換することが実地よりすでに知られており、また、排気ガス内に一酸化窒素に加えて二酸化窒素も存在する場合は、触媒内での窒素酸化物の変換は以下の化学式により行われる。
ＮＯ＋２ＮＨ３＋ＮＯ２→２Ｎ２＋３Ｈ２Ｏ
【０００６】
ＳＣＲ触媒内に一酸化窒素及び二酸化窒素が存在する際、上記の化学式による窒素酸化物の変換は、ＳＣＲ触媒内での一酸化窒素の純粋な変換より早く進む。
【０００７】
そのため、排気ガス内に含まれる窒素酸化物をＳＣＲ触媒内で変換する速さは、排気ガス内の二酸化窒素の割合に依存する。しかし、一酸化窒素を二酸化窒素に変換するためにＳＣＲ触媒の上流で別個のＮＯ酸化触媒を使用することには、装置技術上の手間がかかり、それにより内燃機関のコストが上昇するという短所がある。
【発明の概要】
【発明が解決しようとする課題】
【０００８】
これに鑑みて本発明の課題は、内燃機関の新規の運転方法を提供することである。
【課題を解決するための手段】
【０００９】
この課題は、請求項１に記載の方法により解決される。
【００１０】
本発明では排気ガス実測値が決定され、これは、排気ガス後処理システムの排気ガス後処理構成要素の上流における排気ガス内の二酸化窒素割合の実測値に依存しているため、二酸化窒素割合の実測値が、対応する二酸化窒素割合の基準値に近似するよう少なくとも一つのエンジン運転パラメータを変更し、それによりそれぞれの排気ガス後処理構成要素が最適化されて運転されるようにする。
【００１１】
内燃機関の少なくとも一つのエンジン運転パラメータを変更することにより、排気ガス後処理システムの排気ガス後処理構成要素の上流における排気ガス内の二酸化窒素割合を、定義されたように設定し、それにより、排気ガス後処理構成要素を最適化して運転できるようにするということは、本発明で初めて提案されるものである。それにより、より小さいＮＯ酸化触媒を使用すること、又は、ＮＯ酸化触媒をまったく使用しないことが可能になる。
【００１２】
二酸化窒素割合の基準値は、望ましくは負荷点に依存して選択される。二酸化窒素割合の基準値はとりわけ、少なくとも一つのエンジン運転パラメータに依存して、及び／又は、排気ガス後処理システムの少なくとも一つの運転パラメータに依存して決定される。排気ガス内の二酸化窒素割合には、負荷点もしくは運転点に依存した基準値を使用することが特に望ましく、それは、それにより、内燃機関のすべての負荷点もしくは運転点にとって、一方では、内燃機関のエンジンの最適な運転が、他方では、排気ガス後処理システムの最適な運転が保障されるためである。
【００１３】
好適な発展形の一つによると、そのように変更されるエンジン運転パラメータとして、ラムダ値、及び／又は、点火時期、及び／又は、バルブタイミング、及び／又は、エンジン圧縮、及び／又は、エンジン燃焼室内の排気ガス割合が挙げられる。上記のエンジン運転パラメータの少なくとも一つを介して、排気ガス内の二酸化窒素割合を簡単かつ信頼的に設定することができる。
【００１４】
好適な発展形の一つによると排気ガス実測値として、排気ガス後処理システムの排気ガス後処理構成要素の下流におけるＮＯｘ実測値が、ＮＯｘセンサーを用いて測定技術的に測定され、この排気ガス実測値に依存して、排気ガス後処理構成要素の上流における排気ガス内の二酸化窒素割合の実測値が決定され、二酸化窒素割合のこの実測値が二酸化窒素割合の基準値と比較され、また、この比較に依存して、二酸化窒素割合の実測値が二酸化窒素割合の基準値に近似するように、少なくとも一つのエンジン運転パラメータが変更される。この実施例が特に望ましいのは、排気ガス後処理構成要素の下流におけるＮＯｘ実測値が、ＮＯｘセンサーを用いて簡単に、測定技術的に測定できるからである。測定技術的に測定可能なこのＮＯｘ実測値に基づいて、排気ガス内の二酸化窒素割合の実測値を導き出すことができ、それにより、二酸化窒素割合の実測値と、二酸化窒素割合の基準値との比較に依存して、少なくとも一つのエンジン運転パラメータが変更され、それにより二酸化窒素割合の実測値が基準値に近づけられる。
【００１５】
望ましくは運転パラメータは、エンジンのエンジン出口ＮＯｘエミッションが最大で１５%減少するように変更される。それにより、エンジンを良好な効率で、かつ、燃料消費の増加を回避して運転することが可能となる。
【００１６】
本発明の望ましい発展形は、従属請求項及び以下の詳細な説明より理解できる。本発明の実施例を図を用いて詳細に説明するが、これに限定されるわけではない。
【図面の簡単な説明】
【００１７】
【図１】内燃機関を図式的に表した図である。
【図２】本発明を明らかにするためのグラフである。
【発明を実施するための形態】
【００１８】
本発明は内燃機関の運転方法に関する。
【００１９】
図１には内燃機関１０が大幅に図式化されて図示されており、内燃機関１０は、複数のシリンダー１２を持つエンジン１１、少なくとも一つの排気ガス後処理構成要素１４を持つ排気ガス後処理システム１３を有している。内燃機関１０のエンジン１１のシリンダー１２内で燃料が燃焼する際に発生する排気ガスは、排気ガス後処理システム１３内で排気ガスを浄化するために、排気ガス後処理システム１３を介して導くことができる。図１において排気ガス後処理システム１３の下流にはセンサー１５が配置されており、これは、排気ガス後処理システム１３の下流での排気ガス内のＮＯｘエミッションを測定するために、ＮＯｘセンサーとすることができる。排気ガス後処理システム１３の排気ガス後処理構成要素１４は、ＳＣＲ触媒、粒子フィルター、又はＮＯｘ吸蔵触媒とすることができる。
【００２０】
本発明によるとそのような内燃機関１０を運転するために、排気ガス実測値が決定され、これは、排気ガス後処理システム１３の排気ガス後処理構成要素１４の上流における排気ガス内の二酸化窒素割合の実測値に依存している。排気ガス後処理システム１３のそれぞれの排気ガス後処理構成要素１４を最適化して運転するために、この排気ガス実測値に依存して、二酸化窒素割合の実測値を、対応する二酸化窒素割合の基準値に近似させるように、エンジン１１の少なくとも一つの運転パラメータが変更される。
【００２１】
したがって本発明においては、エンジン１１の少なくとも一つの運転パラメータを変更して排気ガス内の二酸化窒素割合に適切に影響を与えることにより、エンジン１１の下流に位置する、排気ガス後処理システム１３の排気ガス後処理構成要素１４を最適に運転できるようにする。
【００２２】
本発明はとりわけ、エンジン１１が、ガス状の燃料を燃焼する火花点火ガス機関として実施されている内燃機関１０で用いられる。そのような火花点火ガス機関のガス状燃料としては、成分としてメタンを含む天然ガスが代表的である。
【００２３】
排気ガス内の二酸化窒素割合の基準値は、負荷点に依存して選択される。そのため排気ガス内の二酸化窒素割合の基準値は、エンジンの少なくとも一つの運転パラメータ１１に依存して、及び／又は、排気ガス後処理システム１３の少なくとも一つの運転パラメータに依存して、決定することが可能である。そのため排気ガス内の二酸化窒素割合の基準値は、一つ又は複数の排気ガス温度に依存して、ならびに排気ガス後処理システム１３の効率に依存して、ならびにエンジン１１の効率に依存して決定することが可能である。
【００２４】
エンジン１１の運転パラメータとして望ましくは、ラムダ値、及び／又は、点火時期、及び／又は、バルブタイミング、及び／又は、エンジン圧縮、及び／又は、エンジン燃焼室内の排気ガス割合が変更される。
【００２５】
ラムダ値を低下させると、排気ガス内の二酸化窒素割合は傾向として上昇する。
【００２６】
点火時期を、より早い時期の方向にずらすことにより、及び／又は、エンジン燃焼室内の排気ガス割合を高めることにより、排気ガス内の二酸化窒素割合を傾向として高めることができる。
【００２７】
また、シリンダー１２のインレットバルブをより遅く開くことにより、及び、シリンダー１２のアウトレットバルブをより遅く閉じることにより、排気ガス内の二酸化窒素割合を高めることができる。
【００２８】
エンジン圧縮を高めることにより、傾向として排気ガス内の二酸化窒素割合は低下する。
【００２９】
排気ガス内の二酸化窒素割合に影響を与える上記の関係について、いくつかの運転パラメータを例に図２を用いて説明する。図２には、火花点火ガス機関におけるラムダ値の変化に対する、排気ガスの窒素酸化物ＮＯｘ内の二酸化窒素ＮＯ２の割合が、エンジン１１の負荷点、並びに、エンジンの点火時期に対応して、パーセンテージで示されている。
【００３０】
特性曲線１６及び１７は、エンジン１１の全負荷運転の特性曲線を表しており、特性曲線１６は、点火時期が遅い時期にずらされた場合、特性曲線１７は、点火時期が早い時期にずらされた場合を表している。
【００３１】
特性曲線１８、１９は、エンジン１１の部分負荷運転の特性曲線を表しており、特性曲線１８は点火時期が遅い時期にずらされた場合、特性曲線１９は、点火時期が早い時期にずらされた場合を表している。
【００３２】
本発明の特に望ましい変形例では排気ガス実測値として、最適に運転される排気ガス後処理システム１３の排気ガス後処理構成要素１４の下流におけるＮＯｘ実測値が、図１に図示されたＮＯｘセンサー１５を用いて測定技術的に測定される。次に、この排気ガス実測値に依存して、排気ガス後処理構成要素１４の上流における排気ガス内の二酸化窒素割合の実測値が決定され、この二酸化窒素割合の実測値が、二酸化窒素割合の基準値と比較される。この比較に依存して、排気ガス後処理構成要素１４の上流における排気ガス内の二酸化窒素割合の実測値が、二酸化窒素割合の基準値に近似するように、エンジン１１の少なくとも一つの運転パラメータが変更される。
【００３３】
先述のように、本発明により排気ガス内の二酸化窒素割合に影響を与えることにより最適に運転される排気ガス後処理構成要素１４は、ＳＣＲ触媒とすることができる。代替的に、この排気ガス後処理構成要素１４は、粒子フィルター又はＮＯｘ吸蔵触媒とすることもできる。
【００３４】
先述のように、排気ガス内の二酸化窒素割合の基準値は運転点に依存して選ばれる。二酸化窒素割合の実測値の設定により最適に運転される排気ガス後処理システム１３の排気ガス後処理構成要素１４がＳＣＲ触媒である場合、排気ガス内の二酸化窒素割合の基準値として望ましくは５０%が選ばれる。しかしながら、とりわけ排気ガスの排気ガス温度が高い場合は、排気ガス内の二酸化窒素割合の基準値として５０%未満を選ぶことも可能である。
【００３５】
とりわけ排気ガス内の二酸化窒素割合の基準値は、この基準値に依存して変更されたエンジン１１の運転パラメータにより、エンジン１１のエンジン出口ＮＯｘエミッションが１５%より大きく下がることがないように選ばれる。それにより、エンジン１１の燃料消費の上昇を回避できる。
【符号の説明】
【００３６】
１０  内燃機関
１１  エンジン  
１２  シリンダー 
１３  排気ガス後処理システム 
１４  排気ガス後処理構成要素 
１５  センサー 
１６  特性曲線  
１７  特性曲線 
１８  特性曲線 
１９  特性曲線
【図１】
2016532810.tif 000003
【図２】
2016532810.tif 000004
【国際調査報告】
2016532810.tif 000005
2016532810.tif 000006
2016532810.tif 000007
2016532810.tif 000008
2016532810.tif 000009
2016532810.tif 000010